(57)【要約】      （修正有）【課題】あらゆるデザインアレンジによる、雑貨等の小物や植物を用いて美しい装飾が可能であり、植栽に利用する場合には、水やり、植え替えのいずれも簡単に行えるガーデニング用品ともなる収納ユニットを提供する。【解決手段】可とう性を有する略布体状の形状から成る複数の構成シート１０によって全体が構成され、最も下部に配置される構成シート１０以外の構成シート１０は、一部が他の構成シート１０と重なり合う領域１５を有するように重畳的に配置され、重なり合う領域１５に少なくとも２ヵ所以上の係止部２０を設けることで中空領域を形成し、係る構成とすることで中空領域の前面側の開放部１２と背面側の開放部１３を備え、前面側の開放部１２は収納物を収納する収納口となり、背面側の開放部１３は重なり合う領域１５から下方へ収納物を通過させることで長さの異なる収納物でも収納できるように収納領域と収納位置を自由に調整することを可能とした。【選択図】図１
2019083714.tif 000002
【特許請求の範囲】
【請求項１】
可とう性を有する略シート状の素材から成る１以上の構成シート１０によって全体が構成され、前記構成シート１０は、巻くことによるか、重複して係止することにより、一部重なり合う領域１５を有するように前記構成シート１０が重畳的に設けられ、該重なり合う領域１５に少なくとも１以上の係止部２０を設けることで中空領域１１を形成し、係る構成とすることで前記中空領域１１の前面側の開放部１２と背面側の開放部１３を備え、前記前面側の開放部１２は収納物Ｓ１・Ｓ２を収納するための収納口となり、前記背面側の開放部１３は前記重なり合う領域１５から下方へ前記収納物Ｓ１・Ｓ２を通過させることで長さの異なる前記収納物Ｓ１・Ｓ２でも収納できるように収納領域と収納位置を自由に調整することが可能であることを特徴とする請求項１に記載の多目的収納ユニット１。
【請求項２】
前記重なり合う構成シート１０において、前面側から目視した場合も、背面側から目視した場合も、重複した面方向に下側の前記構成シート１０が、重複した面方向に上側の前記構成シート１０のシートの面より一部はみ出して、目視可能に設けられたことを特徴とする請求項１に記載の多目的収納ユニット１。
【請求項３】
可とう性を有する略帯状の形状からなる１以上の長尺な帯体の前記構成シート１０によって全体が構成され、前記帯体の構成シート１０は重なり合う領域１５を有するように螺旋状に配置され、該重なり合う領域１５に複数の係止部２０を設けることで係る係止部２０間に中空領域１１を形成し、係る構成とすることで前記中空領域１１の前面側の開放部１２と背面側の開放部１３を備え、前記螺旋状に配置される前記帯体の構成シート１０の内側には第二の中空領域１４が形成され、前記前面側の開放部１２は収納物Ｓ１・Ｓ２を収納するための収納口となり、前記背面側の開放部１３は前記重なり合う領域１５から下方へ前記収納物Ｓ１・Ｓ２を通過させることで長さの異なる前記収納物Ｓ１・Ｓ２でも収納できるように収納領域と収納位置を自由に調整することが可能であることを特徴とする請求項１または請求項２に記載の多目的収納ユニット１。
【請求項４】
複数の前記構成シート１０の一方の端辺と他方の端辺を係止することで第二の中空領域１４を設けたことを特徴とする請求項１から請求項３のいずれかに記載の多目的収納ユニット１。
【請求項５】
前記係止部２０が、着脱可能に係止することにより、第二の中空領域１４を設けることを特徴とする請求項１から請求項４のいずれかに記載の多目的収納ユニット１。
【請求項６】
前記一部が重なり合う領域１５を有するように重畳的に設けられた前記構成シート１０の重畳方向が、１か所以上で切り替わることを特徴とする請求項１から請求項５のいずれかに記載の多目的収納ユニット１。
【請求項７】
前記多目的収納ユニットを構成する前記構成シート１０が、２重以上で構成されていることを特徴とする請求項１から請求項６のいずれかに記載の多目的収納ユニット１。
【請求項８】
複数の前記構成シート１０から構成される収納ユニットの背面の形状を覆う基台シート３０を備えたことを特長とする請求項１から請求項７のいずれかに記載の多目的収納ユニット１。
【請求項９】
前記構成シート１０の両端の間での前記重なり合う領域１５において、分割係止部２１を少なくとも１以上備えたことを特徴とする請求項１から請求項８の何れかに記載の多目的収納ユニット１。
【請求項１０】
横方向に連続して配置される前記構成シート１０によって形成された全体を分割する前記分割係止部２１を備えたことを特徴とする請求項１から請求項９の何れかに記載の多目的収納ユニット１。
【請求項１１】
前記重なり合う領域１５において、前記構成シート１０が穴またはスリットを設けていることを特徴とする請求項１から請求項１０の何れかに記載の多目的収納ユニット１。
【請求項１２】
前記構成シート１０が、１以上の保持具１０３である支持材１０２に巻かれて設けられていることを特徴とする請求項１から請求項１１の何れかに記載の多目的収納ユニット１。
【請求項１３】
前記構成シート１０が設けられている前記支持材１０２の構成の内、前記支持材１０２が該支持材１０２を支える支持底部１０１を設けている構成において、前記構成シート１０が、前記支持底部１０１に係止されているか、前記支持底部１０１を覆っていることを特徴とする請求項１から請求項１２の何れかに記載の多目的収納ユニット１。
【請求項１４】
前記収納ユニット２において、前記構成シート１０が、前記構成シート１０によって囲われた保持具１０３である芯材３２に設けられていることを特徴とする請求項１から請求項１３のいずれかに記載の多目的収納ユニット１。
【請求項１５】
前記保持具１０３に設けられている収納ユニット２において、前記構成シート１０と保持具１０３が少なくとも１か所以上にて係止されていることを特徴とする請求項１２から請求項１４のいずれかに記載の多目的収納ユニット１。
【請求項１６】
前記保持具１０３または基台シート３０が、発泡材、軟質材、マグネット板、マグネットシート、自己吸着シート、コルク、高摩擦部材、多穴部材あるいは凹凸部材のいずれかであることを特徴とした請求項８または請求項１２から請求項１５のいずれかに記載の多目的収納ユニット１。
【請求項１７】
前記保持具１０３または基台シート３０が、１以上の凸部、凹部、凹条部、凸条部、穴部１２１、あるいはスリット穴部３３を設けていることを特徴とした請求項８または請求項１２から請求項１５のいずれかに記載の多目的収納ユニット１。
【請求項１８】
前記重なり合う構成シート１０が、一部、構成シート１０が無く、開口している窓開部１４１を設けていることを特徴とする請求項１から請求項１７のいずれかに記載の多目的収納ユニット１。
【請求項１９】
前記重なり合う構成シート１０の窓開部１４１が、構成シート１０の辺が曲線または折れ線であることによって設けられていることを特徴とする請求項１８に記載の多目的収納ユニット１。
【請求項２０】
前記構成シート１０の解放部に開口状態を形成する１以上の開口スペーサー１３１を設けていることを特徴とする請求項１から請求項１９のいずれかに記載の多目的収納ユニット１。
【請求項２１】
前記構成シート１０が、１以上の凸部あるいは凹部あるいは凸条部あるいは凹条部を設けていることを特徴とする請求項１から請求項２０のいずれかに記載の多目的収納ユニット１。
【請求項２２】
前記構成シート１０の１以上の凸条部が、前記構成シート１０の辺に対して開口部のある囲い形状に設けてあることを特徴とする請求項１から請求項２１のいずれかに記載の多目的収納ユニット１。
【請求項２３】
前記窓開部１４１が、１以上の穴あるいはスリットであることを特徴とする請求項１８に記載の多目的収納ユニット１。
【請求項２４】
前記構成シート１０が、マグネットシートであることを特徴とする請求項１から請求項２３のいずれかに記載の多目的収納ユニット１。
【請求項２５】
前記構成シート１０が、伸縮性部材であることを特徴とする請求項１から請求項２４のいずれかに記載の多目的収納ユニット１。
【請求項２６】
前記構成シート１０が、張り剥がしが自在なシート、あるいは、自己吸着シートであることを特徴とする請求項１から請求項２３のいずれかに記載の多目的収納ユニット１。
【請求項２７】
前記構成シート１０の一部または全部が、ＥＬ（エレクトロルミネッセンス）であることを特徴とする請求項１から請求項２６のいずれかに記載の多目的収納ユニット１。
【請求項２８】
最下段１６に配置される前記構成シート１０、若しくは前記分割係止部２１に水抜きのための係止しない部分を設けたことを特徴とする請求項１から請求項２７の何れかに記載の多目的収納ユニット１。
【請求項２９】
前記収納物Ｓ２が植物であって、前記前面側の開放部１２から前記中空領域１１を通過して背面側の開放部１３から前記第二の中空領域１４へと前記植物の根を挿入し、前記第二の中空領域１４に充填した植物培養基材内において前記植物が前記根を広げることを可能としたことを特徴とする請求項１から請求項２８のいずれかに記載の多目的収納ユニット１。
【発明の詳細な説明】
【技術分野】
【０００１】
本発明は、主として植物の育成及び緑化、並びに小物の整理に資する収納具に関し、詳しくは配置領域と配置位置を自由に調整することによって、沢山の植物や雑貨等を用い、これらの配置を自由にレイアウトすることで斬新な装飾が可能であり、且つ、美的緑化の促進や作業効率向上に資する装飾自在な収納器具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、収納スペースの領域や配置場所の形状に合わせ、更には収納位置をアレンジできる収納具は皆無といえる。
【０００３】
また、植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００４】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にショーウィンドウなどの装飾などでは個性溢れるお洒落な植物を用いた装飾を容易に施す技術が求められているといえる。
【０００５】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、挿入口が固定されているため装飾が自由自在とはいえず、前記問題の解決には至っていない。
【０００６】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、スペース確保の問題や装飾した個体を集合させているにすぎず、発明品本体による自由自在な装飾とは言えないため、前記問題の解決には至っていない。
【０００７】
なお、本発明者は、発明の名称を「筒状緑化ユニット」とする技術で特許を受けている。（特許文献３参照）具体的には「少なくとも１以上のケース部材からなり、前記ケース部材は、略長方形であり、幅方向に曲げ可能であり、長手方向に沿った両辺にファスナーのエレメントを持ち、前記エレメントをファスナーのスライダで結合することで前記ケース部材を中空の中空体とし、前記中空体の内部には植物培養基材が投入され、前記スライダは１つのファスナー構造に対して２つ以上設置されており、前記スライダの位置を調整することで、前記ファスナーの一部を開口部とし、前記開口部から前記植物培養基材に対して植物を植付け可能」というものである。しかしながら、複数のファスナースライダーを使用することから、製造上のコストと手間がかかるという問題が残されているといえ、よりシンプルな部材、構造を開発するといった課題も追及すべきといえる。
【０００８】
なお、本発明者は、発明の名称を「多目的収納ユニット」とする技術で特許を申請中であり、本願申請時点においては、公知ではない。（特許文献４参照）具体的には「可とう性を有する略布体状の形状から成る複数の小片シートによって全体が構成され、各前記小片シートは、一部が他の前記小片シートと重なり合う領域を有するように重畳的に配置され、該重なり合う領域に少なくとも２ヵ所以上の係止部を設けることで中空領域を形成し、係る構成とすることで前記中空領域の前面側の開放部と背面側の開放部を備え、前記前面側の開放部は収納物を収納するための収納口となり、前記背面側の開放部は前記重なり合う領域から下方へ前記収納物を通過させることで長さの異なる前記収納物でも収納できるように収納領域と収納位置を自由に調整することが可能であることを特徴とする請求項１に近い記載の多目的収納ユニット」というものである。しかしながら、より広い応用、活用範囲、よりシンプルあるいは多彩な部材、構造、及び、より発展的な部材、構造とその製造方法を開発するといった課題も追及すべきといえる。
【先行技術文献】
【特許文献】
【０００９】
【特許文献１】特開２００１−１８６８１６号
【特許文献２】特開２０００−０４１８１４号
【特許文献３】特許第５４９５１９８号
【特許文献４】特願２０１７−０１６３４９号
【発明の概要】
【発明が解決しようとする課題】
【００１０】
あらゆるデザインアレンジによる、雑貨等の小物や植物を用いて美しい装飾が可能であり、植栽に利用する場合には、水やり、植え替えのいずれも簡単に行えるガーデニング用品ともなる収納ユニットを提供する。
【課題を解決するための手段】
【００１１】
本発明に係る多目的収納ユニットは、可とう性を有する略布体状の形状から成る１以上の構成シート１０によって全体が構成され、前記構成シート１０は、巻くことによるか、重複して係止することにより、一部重なり合う領域１５を有するように前記構成シート１０が重畳的に設けられ、該重なり合う領域１５に少なくとも１以上の係止部２０を設けることで中空領域１１を形成し、係る構成とすることで前記中空領域１１の前面側の開放部１２と背面側の開放部１３を備え、前記前面側の開放部１２は収納物Ｓ１・Ｓ２を収納するための収納口となり、前記背面側の開放部１３は前記重なり合う領域１５から下方へ前記収納物Ｓ１・Ｓ２を通過させることで長さの異なる前記収納物Ｓ１・Ｓ２でも収納できるように収納領域と収納位置を自由に調整することが可能である構成を採用する。
【００１２】
また、本発明は、前記重なり合う構成シート１０において、前面側から目視した場合も、背面側から目視した場合も、重複した面方向に下側の前記構成シート１０が、重複した面方向に上側の前記構成シート１０のシートの面より一部はみ出して、目視可能に設けられた構成を採用することもできる。
【００１３】
また、本発明は、可とう性を有する略帯状の形状からなる１以上の長尺な帯体の前記構成シート１０によって全体が構成され、前記帯体の構成シート１０は重なり合う領域１５を有するように螺旋状に配置され、該重なり合う領域１５に複数の係止部２０を設けることで係る係止部２０間に中空領域１１を形成し、係る構成とすることで前記中空領域１１の前面側の開放部１２と背面側の開放部１３を備え、前記螺旋状に配置される前記帯体の構成シート１０の内側には第二の中空領域１４が形成され、前記前面側の開放部１２は収納物Ｓ１・Ｓ２を収納するための収納口となり、前記背面側の開放部１３は前記重なり合う領域１５から下方へ前記収納物Ｓ１・Ｓ２を通過させることで長さの異なる前記収納物Ｓ１・Ｓ２でも収納できるように収納領域と収納位置を自由に調整することが可能であるという構成を採用することもできる。
【００１４】
また、本発明は、複数の前記構成シート１０の一方の端辺と他方の端辺を係止することで第二の中空領域１４を設ける構成を採用することもできる。
【００１５】
また、本発明は、前記係止部２０が、着脱可能に係止することにより、第二の中空領域１４を設けるという構成を採用することもできる。
【００１６】
また、本発明は、前記一部が重なり合う領域１５を有するように重畳的に設けられた前記構成シート１０の重畳方向が、１か所以上で切り替わるという構成を採用することもできる。
【００１７】
また本発明は、前記多目的収納ユニットを構成する前記構成シート１０が、２重以上で構成されている構成を採用することもできる。
【００１８】
また、本発明は、複数の前記構成シート１０から構成される収納ユニットの背面の形状を覆う基台シートを備えた構成を採用することもできる。
【００１９】
また、本発明は、前記構成シート１０の両端の間での前記重なり合う領域において、分割係止部を少なくとも１以上備えた構成を採用することもできる。
【００２０】
また本発明は、前記重なり合う領域１５において、前記構成シート１０が穴またはスリットを設けている構成を採用することもできる。
【００２１】
また、本発明は、前記構成シート１０が、１以上の保持具１０３である支持材１０２に巻かれて設けられている構成を採用することもできる。
【００２２】
また本発明は、前記構成シート１０が設けられている前記支持材１０２の構成の内、前記支持材１０２が該支持材１０２を支える支持底部１０１を設けている構成において、前記構成シート１０が、前記支持底部１０１に係止されているか、前記支持底部１０１を覆っている構成を採用することもできる。
【００２３】
また本発明は、前記構成シート１０が、前記構成シート１０によって囲われた保持具１０３である芯材３２に設けられている構成を採用することもできる。
【００２４】
また、本発明は、前記保持具１０３に設けられている収納ユニット２において、前記構成シート１０と保持具１０３が少なくとも１か所以上にて係止されている構成を採用することもできる。  
【００２５】
また、本発明は、前記保持具１０３または基台シート３０が、発泡材、軟質材、マグネット板、マグネットシート、自己吸着シート、コンクリート、金属、樹脂、木、コルク、高摩擦部材、網、多穴部材、板材、筒、円柱、角柱、錐体、錘台または容器のいずれかであるという構成を採用することもできる。
【００２６】
また、本発明は、前記保持具１０３または基台シート３０が、１以上の凸部、凹部、凹条部、凸条部、穴部１２１、あるいはスリット穴部を設けている構成を採用することもできる。
【００２７】
また本発明は、前記重なり合う構成シート１０が、一部、構成シート１０が無く、開口している窓開部１４１を設けているという構成を採用することもできる。
【００２８】
また、本発明は、前記重なり合う構成シート１０の窓開部１４１が、構成シート１０の辺が曲線または折れ線であるという構成を採用することもできる。
【００２９】
また、本発明は、前記構成シート１０の解放部に開口状態を形成する１以上の開口スペーサー１３１を設けているという構成を採用することもできる。
【００３０】
また、本発明は、前記構成シート１０が、１以上の凸部あるいは凹部あるいは凸条部あるいは凹条部を設けている構成を採用することもできる。
【００３１】
また、本発明は、前記構成シート１０の１以上の凸条部が、前記構成シート１０の辺に対して開口部のある囲い形状に設けてあるという手段を採用することもできる。
【００３２】
また、本発明は、前記構成シート１０が、１以上の穴あるいはスリットを設けている構成を採用することもできる。
【００３３】
また、本発明は、前記構成シート１０が、マグネットシートであるという手段を採用することもできる。
【００３４】
また、本発明は、前記構成シート１０が、伸縮性部材であるという構成を採用することもできる。
【００３５】
また、本発明は、前記構成シート１０が、張り剥がしが自在なシート、あるいは、自己吸着シートである構成を採用することもできる。
【００３６】
また、本発明は、前記構成シート１０の一部または全部が、ＥＬ（エレクトロルミネッセンス）であるという手段を採用することもできる。
【００３７】
また、本発明は、横方向に連続して配置される前記構成シート１０によって形成された全体を分割する前記分割係止部を備えた構成を採用することもできる。
【００３８】
また、本発明は、最下段に配置される前記構成シート１０、若しくは前記分割系止部に水抜きのための係止しない部分を設けた構成を採用することもできる。
【００３９】
また、本発明は、前記収納物が植物であって、前記前面側の開放部から前記中空領域を通過して背面側の開放部から前記第二の中空領域へと前記植物の根を挿入し、前記第二の中空領域に充填した植物培養基材内において前記植物が前記根を広げることを可能とした構成を採用することもできる。
【発明の効果】
【００４０】
本発明に係る多目的収納ユニットによれば、屋内、屋外を問わず、比較的狭い設置領域においても多種多様な植物を同時に栽培でき、潅水容易で一時的な移動や設置も可能であることから、育苗や園芸における作業負担の軽減や作業の効率化を図れるという優れた効果を発揮する。
【００４１】
本発明に係る多目的収納ユニットによれば、沢山の開口部を構成することができ、柱や壁の形状に対応して装着できるので、例えば工場内において作業者が取りやすい位置に存在する壁や柱を利用して工具を収納するための収納ユニットとして利用するなど、場所や環境に対する制限が極めて少なく、あらゆる場所において自由な装飾が可能となるという優れた効果を発揮するものである。例えば吊り下げて使用してもよいし、筒状や、アーチ状等立体的な形状でもよく、ポケットの配置も様々な配置とすることが可能なため、今までにない斬新かつ洗練された植物アレンジが可能であるという優れた効果を発揮する。
【００４２】
本発明に係る多目的収納ユニットによれば、沢山のポケット状の植栽部の底部が閉塞しているため、上部から一度の水やりにより全体に水を供給することが可能となるという優れた効果を発揮する。
【００４３】
本発明に係る多目的収納ユニットによれば、花の交換の際、取り除く必要のない植物を移動することなく、別のポケットに違う種類の植物を装飾することも可能であり、また種や球根から育てたり、宿根草や多年草など季節が巡ってまた咲くものをそのままにしながら別のポケットの一年草は交換できるという優れた効果を発揮する。
【００４４】
本発明に係る多目的収納ユニットによれば、構成部材が極めて少なく、またシンプルな構成で製作が容易でコストがかからないといった優れた効果を発揮する。
【００４５】
本発明に係る多目的収納ユニットによれば、地面に接触させずに空中に吊るす構成として利用することにより、汚染された土壌や水害の影響を受けることなく、単位面積当たりの収穫量を向上させることができるという優れた効果を発揮する。
【図面の簡単な説明】
【００４６】
【図１】本発明に係る多目的収納ユニットの第一基本構成説明図である。
【図２】本発明に係る多目的収納ユニットの第二基本構成説明図である。
【図３】本発明に係る多目的収納ユニットに帯体の構成シートを使用する構成説明図である。
【図４】本発明に係る多目的収納ユニットに帯体の構成シートを平面的に巻いて使用する構成説明図である。
【図５】本発明に係る多目的収納ユニットの構成シートの互いの両端を、互いに縦に一本まとめて係止した構成説明図である。
【図６】本発明に係る多目的収納ユニット全体構成において縦方向に分割する分割構成説明図である。
【図７】本発明に係る多目的収納ユニット全体構成において横方向に分割する分割構成説明図である。
【図８】本発明に係る多目的収納ユニットにおいて構成シートシート内を互い違いに分割する分割構成説明図である。
【図９】本発明に係る多目的収納ユニットにおいて構成シートシートの重畳方向が、途中で切り替わる構成説明図である。
【図１０】本発明に係る多目的収納ユニットの中空領域を説明する説明図である。
【図１１】本発明に係る多目的収納ユニットの構成シートを支持材に巻き付けるようにして設けた構成を説明する説明図である。
【図１２】本発明に係る多目的収納ユニットの芯材に構成シートが設けられた構成の断面図である。
【図１３】本発明に係る多目的収納ユニットの芯材に凸部、凹部、凹条部、凸条部、穴部あるいはスリット穴部を設けている構成について断面図である。
【図１４】本発明に係る多目的収納ユニットの開口スペーサーの構成の説明図である。
【図１５】本発明に係る多目的収納ユニットの窓開部の構成の説明図である。
【図１６】本発明に係る多目的収納ユニットの一体スペーサーの構成の説明図である。
【図１７】本発明に係る多目的収納ユニットの構成シート１０を、マグネットシートで構成した説明図である。
【図１８】本発明に係る多目的収納ユニットに植物を植栽した場合の実施例説明図である。
【図１９】本発明に係る多目的収納ユニットに植物を植栽した場合の実施例説明図である。
【図２０】本発明に係る多目的収納ユニットに植物を植栽した場合の実施例説明図である。
【図２１】本発明に係る多目的収納ユニットに雑貨等を収納した場合の実施例説明図である。
【図２２】本発明に係る多目的収納ユニットの仕様状態説明図である。
【発明を実施するための形態】
【００４７】
本発明に係る多目的収納ユニット１は、構成シート１０同士が重なり合い、開口する開口部に雑貨等の物品や植物を植栽するバリエーションを自由にするため、上辺と下辺とは係止せず、下辺を隣接される構成シート１０により覆うことによって生まれる効果が発揮されることを最大の特徴とするものである。つまり、例えば、植栽の際には、下辺を隣接される構成シート１０により覆われることによって培養基材の土や水のこぼれを防止可能とする有用性を発揮するものである。
以下、図面に基づいて本発明に係る多目的収納ユニット１について説明する。但し、図面に示した形状や配置構成等についてはあくまでも例示であり、本願発明の特徴的な効果が発揮される範囲において変更することを可能とする。なお、図面の説明において上下左右は、図面に表された多目的収納ユニット１の上下左右方向と同じであり、前面又は前面側とは図１（ｂ）、図２（ｂ）、図１０（ａ）及び図１０（ｂ）に示された左側をいい、背面又は背面側とは図１（ｂ）、図２（ｂ）、図１０（ａ）及び図１０（ｂ）に示された右側をいうこととする。
【００４８】
図１は、多目的収納ユニット１の第一基本構成を示し、従来の収納用具と比較して極めて構成要素が少なく、シンプルな部材のみで構成することが可能であることを表している。図１（ａ）は、九十九折り線で示した係止部２０が構成シート１０の重なり合う領域１５内において、縫製や接着等によって係止されるものであり、係る構成シート１０が連続して複数重なることで、多目的収納ユニット１が構成されるものであることを示している。図１（ｂ）は、多目的収納ユニット１の複数の構成シート１０が重なり合う構成を説明するための断面図である。
【００４９】
構成シート１０は、例えばテント生地やメッシュ生地等の布状部材を用いた構成シート１０としたもので、これを複数重ねて使用する。素材は丈夫で可とう性を有し、壁や柱等に応じて自由に変形するとともに、収納物Ｓ１・Ｓ２の重量に耐えるための強度を有した素材を用いることが望ましい。寸法や形状については特に限定するものではないが、構成シート１０の下辺が隣接される他の構成シート１０に重なり合う領域１５内で覆われる構成が繰り返して配置されるための部材である。
【００５０】
中空領域１１は、複数の構成シート１０が重なり合って係止されることにより空間が設けられるものであり、係る空間は中空状に前後が開放され、一方の開放部は前面に配置され、他方の開放部は背面に配置される。
【００５１】
前面側の開放部１２は、雑貨などの物品を収納する場合や植物を植栽する場合など、様々な用途に応じて対応することができる。
【００５２】
背面側の開放部１３は、雑貨などの物品を収納する場合と植物を植栽する場合において、前記一方の開放部と他方の開放部は其々対を成して前面側と背面側とに分かれる。
【００５３】
第二の中空領域１４は、各構成シート１０の前面側の開放部１２から収納物Ｓ１・Ｓ２を収納できる領域ともなり、また植物を収納する場合においては係る第二の中空領域１４内に育苗のための土壌等の植物培養基材を充填する領域とすることもできる。
【００５４】
重なり合う領域１５は、各構成シート１０において前面に配置される他の構成シート１０の背面と重なり合う部分をいう。
【００５５】
なお、連続して重なり合い構成される全体の構成シート１０のうち最も下側に設けられた最下段１６の構成シート１０においては、前面側に他の構成シート１０が存在しないこととなる。
【００５６】
係止部２０は、構成シート１０同士が重なり合う領域１５において縫製、接着、溶着等の結合手段により固結された領域内においてその一部又は全部を係着されるともに、収納物Ｓ１・Ｓ２を収納する際、左右をガイドし、また最下段１６の底部において収納物Ｓ１・Ｓ２が下方へ落下しないよう、構成シート１０の両端部を繋ぐように係止部２０を設けることも有効である。但し、収納物Ｓ２が植物である場合には縦方向の構成シート１０の両端部の内側においても係止部２０を設けることが望ましく、その数や長さについては特に限定するものではない。
【００５７】
図２は本発明に係る１の第二基本構成を示す説明図であり、図２（ａ）は、図１（ａ）に示した第一基本構成により複数の構成シート１０が重なり合ってできた全体の形状に対応する形状を有し、これを構成シート１０が全体に係止されている状態を示している。図２（ｂ）は、該構成シート１０の重なり合う領域１５と基台シート３０との係止状態を説明するための断面図である。図２（ｃ）は、複数の構成シート１０が連続した重なり合い、これに対応した基台シート３０が係止された状態における背面を示したものであり、図２（ｄ）は図２（ｃ）の構成シート１０の形状違いである。
【００５８】
基台シート３０は、構成シート１０と同じ素材を用いてもよいし、曲げた状態を保持するような塑性特性や、元の状態に戻る弾性特性を備えた材料等を用いることが考え得る。係る特性を有することにより、例えば、全体の両側端部を係止することによって得られるリング状収納型又は両面収納型等の利用体型に合わせて選択し、壁や柱などに設置する場合の基台としての機能を十分に発揮できる形状、大きさ、厚みとする。
【００５９】
また、基台シート３０は、複数の構成シート１０同士が他の構成シート１０と重なり合う領域１５によって覆われる構成が連続してできた全体の形状の背面に対応する大きさで、又はそれを超える大きさの構成シート１０と同様の布状素材からなる基台である。なお、収納物Ｓ２に植物を植栽する場合には、構成シート１０及び基台シート３０の素材は、樹脂製のフィルムやシートなどの水密性を備えたものを選択することが望ましいが、屋外の使用等使用条件によってはその限りではなく、麻布のような自然な素材が望ましい場合もあり、例えば、イベントやワンシーズン等、短期使用の想定においては、耐候性を考慮しない素材でも良い。
【００６０】
図３は、本発明に係る多目的収納ユニット１に帯体の構成シート１０を使用する構成説明図である。図３（ａ）は、前記に示した多目的収納ユニット１の素材となるシートを一本の帯状を螺旋状に巻きつけた構成を側面から見た外観を示し、図３（ｂ）は、前記図３（ａ）を断面視したものを示し、図３（ｃ）は、帯体の構成シート１０を示し、図３（ｄ）は、帯体の構成シート１０を螺旋状に一部が互いに重なり合うように巻きながら多目的収納ユニット１を形成していることを示し、図３（ｅ）は、図３（ｃ）における、複数の帯体の構成シート１０の構成を示している。なお、図面には示していないが、底部には必要に応じて係止部２０等を設けることとする。
【００６１】
本発明に係る多目的収納ユニット１は、可とう性を有する略帯状の形状からなる一つの長尺な帯体の構成シート１０によって全体が構成される。係る構成は、前記の構成シート１０を重畳的に配置する構成と比較して、帯状部材を一回切断することで構成部材の略全体を得ることができる点で、製造し易い好適な構成といえる。
【００６２】
帯体の構成シート１０は、図３（ｃ）に示すように長尺な帯状の形状であり、本発明に係る多目的収納ユニット１の全体を構成する部材である。具体的な素材については、前記構成シート１０と同様に、丈夫で可とう性を有し、壁や柱等に応じて自由に変形するとともに、収納物Ｓ１・Ｓ２の重量に耐えるための強度を有した素材を用いることが必要である。なお、寸法や形状については図３（ａ）から図３（ｄ）によって限定されるものではなく、特に図３（ｄ）は帯体の構成シート１０を螺旋状に連続して巻きつけることで、帯体の構成シート１０の上辺と重なり合う下辺により、重なり合う領域１５が構成されることを説明するものであって、巻く方向や重なり合わせる割合等についても限定されるものでもない。
また、図３（ｅ）の様に、複数の帯体の構成シート１０を用いても良い。
【００６３】
重なり合う領域１５は、帯体の構成シート１０を螺旋状に巻くことで配置が可能である。
【００６４】
係止部２０は、螺旋状に巻かれた帯体の構成シート１０の全体の形状を維持するとともに、重なり合う領域１５を区画して収納物Ｓ１・Ｓ２を保持するなどの機能を発揮するものである。但し、前記構成シート１０の構成とは異なる注意点として、複数の係止部２０をどの位置にどのくらい設けるかという配置構成を考慮しなければならない。即ち、螺旋状に巻くことで全体を形成する構成を採用する場合では、帯体の構成シート１０の両端のみを係止するだけでは全体の形状が崩れ易くなり、また、その間の螺旋状の重なり合う領域１５の全てが中空領域１１となるため、収納物Ｓ１・Ｓ２を収納することによる部分的な変形が、全体形状へ大きく影響することとなる。そこで、帯体の構成シート１０の幅と重なり合う領域１５との割合、帯体の構成シート１０が螺旋状に巻かれる一巻き当たりの直径、更には帯体の構成シート１０の素材等との関係から総合考慮して、係止部２０の数と位置について決定する。
【００６５】
中空領域１１は、帯体の構成シート１０を螺旋状に巻きつけたことによって形成される重なり合う領域１５に係止部２０を設けることで、該係止部２０を両端とする内側に構成される一つの領域をいう。また、中空領域１１の前面側上部には前面側の開放部１２が形成され、背面側下部には背面側の開放部１３が形成されることとなる。前面側の開放部１２は収納物Ｓ１・Ｓ２を収納するための収納口となり、背面側の開放部１３は前記重なり合う領域１５から下方へ通過させることで長尺な収納物Ｓ１・Ｓ２でも収納可能とするものである。
【００６６】
第二の中空領域１４は、前記螺旋状に配置した帯体の構成シート１０によって形成された略円筒の内部領域をいい、多目的収納ユニット１の利用態様としてはそのまま円筒状の形状を利用し、３６０度方向の何れにも収納物Ｓ１・Ｓ２を収納できる構成としたり、略円筒形状から前面と背面を有する平面的な形状として前面側の帯体の構成シート１０と背面側の帯体の構成シート１０との間の第二の中空領域１４を造る構成としたりすることが考えられ、更には略楕円状に変形させその長手方向を両端とする間に縦方向の係止部２０を設けることで、該径止部２０の数に応じて該径止部２０毎の両側にそれぞれ独立した縦方向の第二の中空領域１４を複数構成することも可能である。
【００６７】
具体例として、例えば、螺旋状に配置した帯体の構成シート１０によって得られた本発明に係る多目的収納ユニット１に、縦方向の係止部２０を上下間を繋いで２ヵ所設けると、図８（ｂ）に示したものと同様な形状となる。係る構成を利用すると、第二の中空領域１４を３つ独立して縦方向に得ることが可能となり、係る３つの第二の中空領域１４に種類の違う缶ビールを収納し、３つそれぞれの前面側の開放部１２につまみ等を収納し、これを「３人用おつまみ付きビールセット」などとする商品の販売等への応用利用することが考えられる。
【００６８】
また、本発明に係る多目的収納ユニット１の利用態様として、第二の中空領域１４に植物培養基材や植物培養土を充填し、植物育成又は植物による装飾ユニットなどとして利用することも有効である。係る利用態様に用いる場合には、前面側の開放部１２から中空領域１１へポット苗等を土のついたまま挿入し、該中空領域１１において保持するとともに、育成によって伸びる根を第二の中空領域１４に収納された植物培養機材まで広げる領域とする構成も有効である。係る構成では、第二の中空領域１４上部から水を供給することで、背面側の開放部１３を通じて中空領域１１内の根に水を給水させることが可能となる。
【００６９】
図４は、図３に示される帯体の構成シート１０を螺旋状に巻きつけたことによって形成される構成において、平面的な構成を示している。図４（ａ）は、平面的な材を芯材３２として、帯体の構成シート１０を巻いて設けられた構成であり、必要に応じて係止部２０を設けており、係る係止部２０は、重複した構成シート１０同士のみを係止しても良いし、係る芯材３２も合わせて係止しても良く、また、係止支持部３１によって、帯体の構成シート１０が芯材３２に係止されてその位置を保持する構成である。
【００７０】
係る構成においては、前面側の開放部１２から、例えば、長さのある収納物が挿入され、中空領域１１を挿通し、背面側の開放部１３から芯材３２と構成シート１０の間の第二の中空領域１４を挿通して、係る多目的収納ユニット１に収納され、部分的に設けられた係止支持部３１にて、突き当てて収納物を収納することもでき、係る収納物の長さ等によって、必要に応じて収納場所を定めればよいし、係止支持部３１の位置やサイズや形状を設定しても良い。尚、収納物の突き当てる部分の形成には、図６に示される分割係止部２１を用いても良い。
図４（ｂ）については、図４（ａ）の芯材３２が無い構成となっており、芯材３２の無い中空構造となっており、より、太さのある収納物Ｓ１や植栽植物を収納物Ｓ２として、縦面での緑化用の植栽容器とする構成としても好適である。
【００７１】
図５は、図１に示される構成において、図５（ａ）に示される重ね合わせた構成シート１０の互いの両端を、図５（ｂ）のように、係止することによって互いに縦に一本まとめて係止した構成である。係る構成においては、側面のどこからでも収納物を収納することが可能な開口部を１２を設け、例えば、長さ自由な収納物を収納することが可能である構成の基本構成の一つとなる。
【００７２】
図６は、本発明に係る構成シート１０内において分割する分割構成説明図である。図６は、横方向に系止部２０を設ける構成であり、例えば中間に位置する構成シート１０に分割系止部２１を設けることによって、例えば園芸用の植物を前面側の開放部１２から中空領域１１若しくは第二の中空領域１４まで挿入し、中空領域１１に充填された植物培養基材によって安定した状態とする。係る状態において、植物培養基材が全て下方へ落下してしまうことを防止するため、横方向に横架させる分割系止部２１を設ける構成も有効である。なお、図６は、横方向に分割することで異なる種類の物品を収納したり、或いは植物の植栽する構成において、一括した水分管理や栄養管理、若しくは受光管理など多様な目的に対応した分割構成が実現できることを示している。図には示していないが、雑貨等を収納する場合において上段と中段と下段とに其々分割し、上段には筆記用具、中段にはお菓子、下段には手帳など、様々な収納物Ｓ１・Ｓ２の種類に分けて自由に収納することができる構成であることを示している。
【００７３】
分割係止部２１は、縦方向又は横方向の何れにおいても係支部２０を備えることで、一方向に配置されるポケットなどの代わりとなり、また縦方向に長い構成を採用した場合では前面側の開放部１２と背面側の開放部１３とが横方向にある程度の領域を持って、例えば第二の中空領域１４が大きい場合にはたくさんの植物培養基材を当該中空領域１１内に充填することができ、内部に充填した植物培養基材が底部へ流れ落ちてしまうことを回避するために必要である。また縦方向の分割は、小物や小さな植物など分割して保持させることが可能であり、係る仕切りを多数設けることによって収納数を増設する態様なども有用である。本発明は、中空領域１１の貫通する開放部を有するため、保持されずに開放された底部に抜け落ちてしまうことがある。そのため、横方向のストッパーが必要であり、横方向全ての分割係止部２１を設けると植物を育てるための水の行き場が失ってしまうため、根腐れの原因ともなりかねない。そこで、小さな穴部１２１を設けて水抜き等をすることもできるようにすることも必要である。なお、図面上では波線を用いて比較的長く示しているが、係る長さは必要に応じて短くしたり或いは点状の分割係止部２１としてもよい。
【００７４】
水抜き穴１７は、具体的に部材等に穴を開けるのではなく、構成シート１０と他の構成シート１０若しくは構成シート１０と基台シート３０の係止部２０の横方向に横架する係止部２０において、左右の系止部２０の間に係止しない部分を設けることによって形成される、水抜き用の開口部である。
【００７５】
図７は、本発明に係る全体構成において一部の構成シート１０のうち、左右両辺の間であって、各構成シート１０の前面に配置される他の構成シート１０と重なり合う領域１５の一部又は全部を縦方向に係止することにより、より多彩な収納レイアウトを創出させることが可能であることを示している。即ち、収納領域内において特定の場所を選択し、係る場所へ収納物Ｓ１・Ｓ２の大きさに合わせて収納することが可能であることを示しており、本発明の特徴である自由な配置構成を実現させる構成を示している。
【００７６】
図８は、本発明に係る多目的収納ユニット１における構成シート１０の重ね方を斜めに連続して繰り返すことで全体を構成した場合の実施例を示している。係る態様を採用した場合、構成シート１０の前面側の開放部１２が斜めに傾斜して交互に連続して構成される場合の全体形状を示している。具体的には、傾斜するように物品を配置したり、植物を植栽することが可能である。また、係る角度は特に限定するものではなく、自由なレイアウトを用意することで使用者の個性に応じた配置構成の選択幅を広げることも有効である。
また、係る重ね方を違う方向の斜め方向の構成シート１０を組み合わせる構成は、図面には示していないが、螺旋状に構成シート１０を巻く構成でも良い。
【００７７】
図９は、重畳方向が切り替わる構成の例の説明図であり、図９（ａ）は係る構成の断面図、図９（ｂ）及び図９（ｃ）は、実際に収納物を配置した例である。
図９（ａ）においては、１１枚の構成シート１０で構成されている多目的収納ユニット１の重畳方向が、真ん中の構成シート１０にて切り替わっており、図９（ｂ）は、収納物として、長さの違う鉛筆６本と定規１本が収納されており、長さの違う鉛筆は、それぞれの長さに合った位置に収納可能となっている。尚、最上部の鉛筆の様に、必ずしも、左右対称の位置から出さなくても良い。
従来の鉛筆ケースは、こうした長さの違う文房具を、その長さに合わせて収納できる物は殆どなく、ペン立ても、短い鉛筆などが中に入って取り出し難いという課題もあり、机の上や引き出しの整理整頓にも有用である。また、もし係る構成を６枚の大きさの違う構成シート１０で製作すると、一番厚い箇所で６枚の構成シート１０をまとめて縫製することとなり、困難であり、また、材料も無駄が多い等、課題が多く、本構成であれば、生地の量もより少なく、かさ張らず、重畳構造で前面及び背面側の開放部１３が設けられていることにより、鉛筆等の挿入も容易で、中空領域部による保持力もあり、好適である。
【００７８】
図９（ｃ）は、真ん中の構成シート１０が、２重以上の構造であり、その構成例として、更に複数の構成シート１０からなる多目的収納ユニット１である構成の例であり、つまり、多目的収納ユニットを構成シート１０として、更に大きな多目的収納ユニット１を構成している例である。係る構成によれば、例えば、良く使う色の鉛筆を、真ん中の縦の小さい多目的収納ユニット１にて保持させておくようなことが可能な構成である。尚、係る小さい多目的収納ユニットの係止部２０は、省略している。尚、係る小さい多目的収納ユニットは、ポケットで構成されていても良い。
【００７９】
図１０は、本発明に係る構成シート１０を重畳的に配置することで、重なり合う領域１５によって中空領域１１を得る構成を説明する説明図であり、図１０（ａ）は収納物Ｓ１・Ｓ２が収納されてない状態の中空領域１１及び第二の中空領域１４を示す断面図であり、図１０（ｂ）は植物を収納物Ｓ２として収納した場合の中空領域１１及び第二の中空領域１４を示す断面図である。図１０に示すように前面側の開放部１２は収納物Ｓ１・Ｓ２を収納する為の収納口となり、背面側の開放部１３は第二の中空領域１４に開放されている。図１０（ａ）では収納物Ｓ１・Ｓ２がないため各構成シート１０は密着することとなるが、中空領域１１を説明するためにやや離して示している。図１０（ｂ）は、鉢植えから根に土のついたままの植物を前面側の開放部１２から中空領域１１を通過し第二の中空領域１４にかけて収納した状態を示している。この場合において、収納されない他の前面側の開放部１２は重なりあって閉じることとなり、収納物Ｓ２が収納されている部分は押し広げられることとなる。なお、図１０（ｂ）の第二の中空領域１４内には植物を育成するための園芸用土や植物培養基材等が充填されている状態である。但し、収納物Ｓ２の量や中空領域１１に収納される土のついた根の部分が大きい場合には、前面側の開放部１２がきつくなるため第二の中空領域１４には園芸用土や植物培養基材等を充填しなくても良い場合がある。
【００８０】
また、図面には記載していないが、重なり合う領域１５の構成シート１０の内側の部分に、穴あるいはスリットを設けることによって、上から潅水された水が、中空領域に植栽された植物に、より効率的に供給されることが可能となる構成である。
【００８１】
図１１は、本発明に係る構成シート１０を支持材１０２に巻き付けるようにして設けた構成例であり、図１１（ａ）、図１１（ｂ）は、係る構成例の断面図、図１１（ｃ）から図１１（ｆ）は係る構成例の上面図である。
図１１（ａ）は、支持底部１０１に設けられた２本の支持材１０２に構成シート１０が、螺旋状に巻かれて支持されて、多目的収納ユニット１が、自立して中空領域１１及び第二の中空領域１４を設けている構成であり、支持底部１０１と構成シート１０の間は、隙間が開いた構成でも、閉じた構成でも良い。隙間が開いた構成であれば、底から小さい収納物も取り出せるし、ゴミ等も溜まり難い。
係る支持材１０２が移動可能に台座を設けて、自由に移動可能な構成としても良いし、固定式な構成としても良い。
また、図１１（ｂ）は、図１１（ａ）の構成における構成例において、支持底部１０１を覆うように巻いている実施例であり、係る構成において、より強固に支持底部１０１と構成シート１０が一体に設けられる構成となる。また、本実施例においては、底部支持材１０２を一重で巻いているが、２重以上で巻いてより強固にしても良いし、接着等係止をした係止支持部３１とした構成としても良いし、あるいは、底部付近に、部分的に隙間を設けて、水が排水できるようにして、植栽容器としても良い。
図１１（ｃ）及び図１１（ｄ）は、２本の支持材１０２に構成シート１０が設けられた構成の例であり、図１１（ｄ）は２面の構成シート１０が、互いに係止されて、多目的収納ユニットの仕切りを設け、あるいは、強度のアップをしている構成例である。
図１１（ｅ）及び図１１（ｆ）は、４本の支持材１０２に構成シート１０が設けられた構成の例であり、係る支持材１０２は、３本でも、また、５本以上でも良く、また、支持材１０２も図１１（ｆ）の構成に示される様に、外側から支持される構成としても良い。
また、図面には示していないが、多目的収納ユニットを、支持材１０２に吊り下げるように設けても良い。
【００８２】
尚、本図のいずれの図面においても、螺旋状に巻く構成であるが、複数のシートを重畳的に重ねる構成でもよく、また、図面には記載していないが１以上の係止部２０あるいは係止支持部３１あるいは分割係止部２１を設ける。
また、支持材１０２は、平行でなくても良いし、曲がっていても良い。
また、支持材１０２の材質は、木や、アルミニウム、鉄等の金属、ポリプロピレン、ポリアミド等の樹脂、生地、石、陶磁器、カーボン、布状、網状等、その他本発明の範囲内でその種類を限定せず、必要な強度を満足可能な材質が望ましく、同様に、支持材１０２の形状についても、円柱、多角柱、筒状、鎖状、紐状、布状でも、その他本発明の範囲内でその種類を限定しない。
また、支持材１０２が設けられる位置についても、本図においては、第二の中空領域１４に設けているが、構成シート１０の外側に設けても良いし、中空領域１１も挿通する構成としても良く、その他本発明の範囲内でその位置、支持手段を限定しない。
【００８３】
図１２は、芯材３２に構成シート１０が設けられた構成の断面図であり、図１２（ａ）は、芯材３２に基台シート３０が設けられた構成の例であり、芯材３２に基台シート３０が巻かれ、係る基台シート３０が巻かれた芯材３２に、構成シート１０が巻かれて多目的収納ユニット１が構成されている。例えば、柱自体を収納スペースとして有効にスペースを活用することが可能となり、有用である。
また、図１２（ｂ）は、芯材３２が容器で構成されている多目的収納ユニット１であり、例えば、容器としてペン立てを芯材３２として、構成シート１０が設けられ、係る構成シート１０には、長さの違う定規や、短くなった鉛筆等を収容することができ、特に、鉛筆などは、短くなるにつれてペン立てに収納すると中に落ち込んで大変不便なものであるが、本構成においては、長さに多目的収納ユニット１に合わせて収容することが可能で、有用である。
【００８４】
また、保持具１０３または基台シート３０は、発泡材、軟質材、マグネット板、マグネットシート、自己吸着シート、コルク、高摩擦部材、多穴部材、凹凸部材等によって、構成シート１０の背面で、挿入された収納物を保持する上で、有用である。
その他、コンクリート、金属、樹脂、木、網、板材、筒、円柱、角柱、錐体、錘台、容器等、係る芯材３２の材質、形状、態様は本発明と同一の作用効果を発揮できる範囲内で限定しない。
【００８５】
図１３は、芯材３２に凸部、凹部、凹条部、凸条部、穴部１２１、あるいはスリット穴部３３を設けている構成について、凹条部、穴部１２１、スリット穴部３３を代表して構成の例とした説明図である。図１３（ａ）は、構成シート１０が巻かれた板状の芯材３２に、複数の穴部１２１やスリット穴部３３が設けられた構成の例であり、例えば、一番右の縦長のスリット穴部３３においては、長い収納物の収納が適しており、上部も開放している。また、長い収納物が収納された係るスリット穴部３３に、他のより短い長さの収納物を、その下の前面側の開放部１２から収納しても良い。また、左から２列目のスリット穴部３３の様に、底のあるスリット穴部３３としてもよく、収納した収納物が係る底で引っかかって止めることが可能である。また、係るスリット穴部３３に培養基材を投入して、植栽容器部とする構成としてもよい。その場合は、係るスリット穴部３３の周囲を、芯材３２に接着等で係止しても良い。また、スリット穴部３３は、斜めでも良いし、波形状等の異形にしても良く、それによって、下の方の土の圧力を緩和することもできる。また、このまま、横に置けば横方向への収納にもなる。
一番左の縦に並んだ１２個の穴部１２１においては、長い挿入物を、任意の穴部１２１の位置で引掛けて止めて収納することができる。その他、図面には記載していないが、引掛けて止める部分に、凸部を設けておいても良いし、縦のスリット穴の代わりに、縦の平行な凸条部を設けても良いし、波板を用いた構成としても良いし、係る凸形状、凹形状、穴形状は必要に応じて自由に設定可能である。
【００８６】
図１３（ｂ）は、構成シート１０が巻かれた円柱の芯材３２に、斜め方向の凹条が設けられた構成例であり、例えば、係る凹条部分に図１３（ｃ）の様に植栽することにより、柱に直接緑化可能となり、街の緑化で街に潤いをもたらすことができる。更に凹条部を複数設けることによって、柱全体を緑化できる。例えば、従来の様に、こういった場所に植栽容器を吊り下げるような方法であると、頭等がぶつかったり、落ちたりして危険であるが、本構成によれば、そうしたこともなく、目の高さで緑や花を楽しめ、比較的安い工事費で施工可能である。
また、例えば、筒状のペン立て等の外胴部を、縦に波形状の凹条成形し、構成シート１０を巻いて設ければ、その部分もペン立てとなり、２部屋の側面からも短い鉛筆等も収納できるペン立てとなる。
【００８７】
図１４は、前面側の開放部１２に設けられた開口スペーサー１３１の構成の説明図である。
図１４（ａ）は、中空領域１１と第二の中空領域１４を設けた多目的収納ユニット１の構成において、前面側の開放部１２に、係る前面側の開放部１２の開放状態を維持するために設けられた棒状の開口スペーサー１３１が係止部２０に当てて設けられており、図１４（ｂ）は係る開口スペーサー１３１がリング状、または、筒状で、前面側の開放部１２に設けられている構成の例である。
開口スペーサー１３１によって、開口状態を保持されることによって、係る前面側の開放部１２からの収納を容易にする効果や、収納物に合わせた開口部形状を形成することも可能となる。係る開口スペーサー１３１は、接着等で係る位置に係止されていても良いし、シート１０の挟持力で保持されていても良いし、二股の構造にして、係止部２０の開口部にまたぐ様に引掛けて保持し、２か所の前面側の開放部１２の開口を保持させても良く、その他その保持手段は、本発明と同一の作用効果を発揮できる範囲内でその保持手段を限定しない。また、開口スペーサー１３１の形状も、本発明と同一の作用効果を発揮できる範囲内でその形状を限定しない。
【００８８】
図１５は、一部、構成シート１０が無い開窓部の構成例について、構成シート１０の辺が曲線であることによって開窓部が設けられている構成の説明図であり、係る開窓部１４１は、上から２段目と４段目の前面側の開放部１２が曲線になっている頂点付近において、背面側の開放部１３が目視可能となり、窓開部１４１を形成している。係る窓開部１４１が設けられることによって、例えば、用紙を収納する場合において、用紙を差し入れる際の誘いとなり、挿入がしやすくなり、また、両端の係止部２０で狭くなっている部分において、係る用紙への挟持力がアップして、用紙の保持に有用な構成となる。また、背面側の開放部１３の辺、あるいは両方の辺が曲線である構成としても良い。
また、係る窓開部１４１の位置、構成シート１０辺の曲線形状なども本図の構成は一例であり、その形状を限定しない。また、収納物も、用紙用に限定しない。
また、係る辺の曲線部は、折れ線でも良い。
【００８９】
図１６は、重畳的に重ねた構成シート１０において、図１４の開口スペーサー１３１が、構成シート１０と一体である凸部あるいは凸条部である一体スペーサー１５１を設けた構成の例である。
図１６（ａ）は、係る一体スペーサー１５１を設けた構成シート１０を円柱に重畳的に巻いて設けた構成例であり、３本の前面側の開放部１２に沿って、下から順にそれぞれ、丸い凸形状、凸条の一体スペーサー１５１が設けられており、また、下から３段目は、コの字型の凸条部が前面側の開放部１２に開口部を位置して設けてある。係るコの字の凸条部分の内側においても、収納スペースを形成しつつ、係る隣り合うコの字同士の間においては、第二の中空領域１４に通ずる中空領域の開口状態を保持する開口スペーサー１３１として設けられている。また、例えば、係るコの字に囲われた収納領域が、構成シート１０になる様に設定、重ね合わせることにより、係る構成シート１０が巻かれている円柱を、係るコの字に囲われた収納領域に入れた収納物が直接触れず、汚さないようにすることも可能であり、有用である。また、係る一体スペーサー１５１は、巻き付けの張力でしっかりと密着して保持され、且つ、重畳的に設けられることによって、互いのシートが保持し合い、また、必要に応じて係止部２０あるいは、係止支持部３１により、より強固に係る一体スペーサー１５１、あるいは収納領域の位置を保持可能な構成である。
【００９０】
図１６（ｂ）から図１６（ｄ）は、それぞれ、一体スペーサー１５１のパターンの例である。
図１６（ｂ）においては、平行な凸条の一体スペーサー１５１が設けられている。
一体スペーサー１５１の有用性として、図１４の構成例の様に、開口スペーサー１３１を一つ一つ設ける手間の削減となり、つまりは、低コストで開口スペーサー１３１を設けることができ、且つ、連続的に設けることもできる。尚、係る開口スペーサー１３１は、本図の様に規則的に設けても良いし、必要に応じて、自由なサイズ、形状で不規則に設けても良い。
係る平行な凸条の一体スペーサー１５１について、係る一体スペーサー１５１の間は凹部ともいうことができ、特に一体スペーサー１５１の間隔が狭くなると、凹部を設けているともいえ、例えば、細長い棒の収納にも有用である。尚、特に細長い長さの違う棒を複数、収納する場合は、係る一体スペーサー１５１は例えば、図１６（ｅ）の様に構成シート１０の端から端ではなく、真ん中位までで、重なり合う領域１５部分に位置する方が望ましい。また、図１６（ｃ）の様に、丸い凸形状の一体スペーサー１５１をパターンで配置しても、同様に細長い棒の収納が可能であるし、また、紙状のものもどちらも収納できる構成とすることができる。
１６（ｄ）は、図１６（ａ）の構成シート１０と同様なパターンの一体スペーサー１５１の例であり、一体スペーサー１５１は粘着材を備えても良いし、コの字は、間隔を置かずに設けても良いし、Ｕ字でも良いし、その形状は限定しない。
また、例えば、チューブを開口スペーサー１３１として、例えば、図１６（ｆ）のような自由な形状に曲げて、構成シート１０に貼着等して設けて一体スペーサー１５１を形成しても良い。
【００９１】
図１７は、構成シート１０を、マグネットシートで構成した例であり、特に紙媒体１６１の収納として有用な構成である。例えば、壁に係る多目的収納ユニット１を設置することにより、壁に紙媒体１６１を重畳的に収納可能となり、スペースの有効活用ができる。特に、重なった紙媒体１６１を自由に取り出し易く、有用である。１つの中空領域１１に保持できる紙媒体１６１の枚数については、磁力との兼ね合いもあり限度がある為、一時保管フォルダ的に用いても良い。
また、紙媒体１６１の掲示等にも有用であり、画鋲のような危険な部材を使用しなくても良く、また、画鋲で何枚かの紙媒体１６１を掲示すると、下の方に重なった掲示物を外すのが困難であったり、上の掲示物の画鋲も外れてしまったりと困難である。また、マグネットボードにマグネットで掲示する際も、重ねて掲示するのは困難であるし、画鋲の場合と同様に、下の掲示物を外すときに、上の掲示物のマグネットが落下してしまうようなことも多々あり、不便である。本構成によれば、そうした不具合も改善され、有用である。また、係るマグネットシートの表面に、滑り止め加工を施しても良いし、鉄シートと交互にする等、組み合わせた構成としても良い。
【００９２】
また、構成シート１０を張り剥がしが自在なシート、あるいは、自己吸着シートで構成しても良く、例えば、張り剥がし可能な粘着シートタイプ、静電気タイプ、微発泡による吸着タイプの自己吸着性を活用した構成等、本発明と同一の作用効果を発揮できる範囲内で限定しない。
係る構成においては、強度によって、例えば、図１７の紙媒体１６１の代わりに、クリアファイルごと中空領域に収納でき、壁に重畳的に収納可能となる。これまでは、そうしたクリアファイル等のファイルの保管は、棚等に立てることが一般的であったが、倒れ易く不便であったし、自重で変形もし、また、あらかじめ棚として収納スペースを確保する必要があり、そのスペースは、大抵ファイルよりも大きいスペースであり無駄があった。本構成によれば、そうした不具合も改善でき、また、ファイルの厚さで保管可能で、スペースの有効活用ができ、有用であり、必要に応じて、構成シート１０の強度、サイズを調整することが望ましい。尚、構成シート１０がマグネット、張り剥がしが自在なシート、あるいは、自己吸着シートで構成された場合、中空領域１１は、収納物に合わせて開くこととなる。
【００９３】
図１８及び図１９は、本発明に係る多目的収納ユニット１に植物を植栽した場合の実施例説明図である。図１８は正面と左右に植物が左右対称となるように植栽された構成を示し、図１９（ａ）は、多目的収納ユニット１を折り返して右辺と左辺の一部又は全部を繋ぎとめた状態において正面側のみに植物を植栽した状態を示し、図１９（ｂ）は、正面及び背面に植物を植栽した状態を示している。係る構成では、両面に植物による装飾を可能とするため、例えば通路の中央部に配置して両側から装飾を楽しむことができる。他方、片側に植物を植栽する構成では、例えば、ビルや店舗の殺風景な壁などにも装飾用として設置可能であることを示している。また、図示はしていないが、柱や電柱等の棒状部材に巻きつけるように配置して植物の装飾を楽しむことも可能である。
また、本図では、一列の植栽箇所のある多目的収納ユニット１を繋ぎとめた構成としているが、長い多目的収納ユニット１を縦に縫い付ける等係止することによっても、同等の形状となり、また、縫い付けパターンを互い違いにし、収納部位も、互い違いとする構成としても良いし、螺旋巻きも同様に左右から互い違いの構成としても良い。
【００９４】
図２０は、本発明に係る多目的収納ユニット１を複数連結するように配置した状態を示し、図２０（ａ）は、多目的収納ユニット１を折り返して右辺と左辺の一部又は全部を繋ぎとめた状態において正面及び背面に植物を植栽し、これを横方向に連結することで両面いっぱいに植物で覆いつくした壁を創出することも可能であることを示し、図２０（ｂ）は、正面側のみに係る植物で覆いつくしたかべを創出することができることを示している。また、店舗前に駐車場がある場合、排気ガスの影響を受けにくい高さに調整して植物を植栽することも可能となる。
【００９５】
図２１は、本発明に係る多目的収納ユニット１に雑貨等の収納物Ｓ１を多数収納した使用状態を示し、図２１（ａ）は、構成シート１０のみで構成された使用状態を示し、図２１（ｂ）は、複数の構成シート１０で構成された背面側に、これよりも上方に向かって大きな基台シート３０を配置した構成での使用状態を示している。図２１（ａ）は、横方向及び縦方向への分割係止部２１が部分的に設けられており、前面側の開放部１２から収納された文房具等の収納物Ｓ１は、重なり合う領域１５を通過し、背面側の開放部１３から下方へ長尺な物品は突き出している。これに対し、図２１（ｂ）では、最下段１６の構成シート１０の両端を繋ぐ底部が横方向に連通して分割係止部２１が形成されている。
【００９６】
図２２は、本発明に係る多目的収納ユニット１の収納領域の拡張性と収納位置の自由度を説明する説明図である。図２２（ａ）は植物をハート型に配置した状態を示しており、図２２（ｂ）及び図２２（ｃ）は、店舗の収納物Ｓ２を植物とした場合に小さな小物雑貨用から図２２（ｂ）に（ｃ）に示すように、店舗やショーウィンドウの上部を覆うほどの大規模なものまで対応可能である事を示している。なお、店舗に限らず一般の戸建住宅等においても窓の目隠しとして利用することも可能である。
【００９７】
尚、一連の本図の実施例において、
構成シート１０または、基台シート３０の素材は、可とう性を有したシート状で、テント生地やメッシュ生地等の布状部材、他各種繊維素材、各種ゴムや各種樹脂シート製、綿、麻等の天然素材、紙製、金属メッシュ等金属、また、色も透明、蛍光、光っても良く、その他、必要に応じた強度、機能を有し、本発明と同一の作用効果を発揮できる範囲内でその素材を限定しない。また、有機ＥＬや無機ＥＬに代表される可撓性のある電子表示シートを一部または全部に用いることによって、光の活用や、収納物を表示する構成にすれば、整理整頓にも好適である。
また、シート１０の形状も、多角形、丸、楕円、その他異形でも、長さ、大きさ違いの組み合わせ違いでもよく、その形状を限定せず、また、厚さも、本発明と同一の作用効果を発揮できる範囲内で限定しない。
また、係止部２０あるいは係止支持部３１は、図面に表記していないものも、必要に応じて、必要な個所に設ける構成が可能であり、また、それぞれの係止方法は、接着、融着、縫製、結束、ピン止め、ボタン止め、面ファスナー止め、磁石、ステープラー等、本発明と同一の作用効果を発揮できる範囲内でその係止手段を限定しない。
また、係止部２０、分割係止部２１、係止支持部３１は、着脱可能に係止してもよく、着脱可能な係止手段は、ホック、ボタン、面ファスナー、フック、磁石、紐、ファスナー等、本発明と同一の作用効果を発揮できる範囲内でその係止手段を限定しない。着脱可能な構成とすることにより、必要に応じて構成シート１０のサイズや材質を選択可能となり、有用である。
また、帯状の構成シート１０を螺旋状に巻く構成で説明した図においても、構成シート１０を重畳的に重ねた構成で説明した図においても、それぞれ互いに同様の構成で実施してもよい。
【産業上の利用可能性】
【００９８】
本願発明は、植物の装飾を自在に出来ることから、各種イベントの装飾をはじめ家庭用ガーデニング用品としても魅力的な発明品であり、産業上利用可能性は極めて高いと思慮されるものである。
【符号の説明】
【００９９】
１        多目的収納ユニット
１０      構成シート
１１       中空領域
１２      前面側の開放部
１３      背面側の開放部
１４      第二の中空領域
１５      重なり合う領域
１６      最下段
１７      水抜き穴
２０       係止部
２１      分割係止部
３０       基台シート
３１      係止支持部
３２      芯材
３３      スリット穴部
１０１      支持底部
１０２     支持材
１０３     保持具
１２１      穴部
１３１      開口スペーサー
１４１      窓開部  
１５１      一体スペーサー
１６１      紙媒体
Ｓ１      収納物（文具等小物雑貨）
Ｓ２       収納物（植物）
【図１】
2019083714.tif 000003
【図２】
2019083714.tif 000004
【図３】
2019083714.tif 000005
【図４】
2019083714.tif 000006
【図５】
2019083714.tif 000007
【図６】
2019083714.tif 000008
【図７】
2019083714.tif 000009
【図８】
2019083714.tif 000010
【図９】
2019083714.tif 000011
【図１０】
2019083714.tif 000012
【図１１】
2019083714.tif 000013
【図１２】
2019083714.tif 000014
【図１３】
2019083714.tif 000015
【図１４】
2019083714.tif 000016
【図１５】
2019083714.tif 000017
【図１６】
2019083714.tif 000018
【図１７】
2019083714.tif 000019
【図１８】
2019083714.tif 000020
【図１９】
2019083714.tif 000021
【図２０】
2019083714.tif 000022
【図２１】
2019083714.tif 000023
【図２２】
2019083714.tif 000024
【手続補正書】
【提出日】平成30年3月3日(2018.3.3)
【手続補正１】
【補正対象書類名】特許請求の範囲
【補正対象項目名】全文
【補正方法】変更
【補正の内容】
【特許請求の範囲】
【請求項１】
可とう性を有する略シート状の素材から成る１以上の構成シート（１０）によって全体が構成され、前記構成シート（１０）は、巻くことによるか、重複して係止することによるか、あるいは螺旋状に巻くことにより、一部重なり合う領域（１５）を有するように前記構成シート（１０）が重畳的に設けられ、
該重なり合う領域（１５）に少なくとも１以上の係止部（２０）を設けることで中空領域（１１）を形成し、係る構成とすることで前記中空領域（１１）の前面側の開放部（１２）と背面側の開放部（１３）を備え、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）の製造方法。
【請求項２】
可とう性を有する略シート状の素材から成る１以上の構成シート（１０）によって全体が構成され、前記構成シート（１０）は、巻くことによるか、重複して係止することによるか、あるいは螺旋状に巻くことにより、一部重なり合う領域（１５）を有するように前記構成シート（１０）が重畳的に設けられ、
前記構成シート（１０）は、１以上の保持具（１０３）に設けられ
前記構成シート（１０）は１以上の係止部（２０）あるいは分割係止部（２１）あるいは保持具（１０３）との係止支持部（３１）を備えていることで、中空領域（１１）を形成し、係る構成とすることで前記中空領域（１１）の前面側の開放部（１２）と背面側の開放部（１３）を備え、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）の製造方法。
【請求項３】
可とう性を有する略シート状の素材から成る１以上の構成シート（１０）によって全体が構成され、前記構成シート（１０）は、巻くことによるか、重複して係止することにより、一部重なり合う領域（１５）を有するように前記構成シート（１０）が重畳的に設けられ、該重なり合う領域（１５）に少なくとも１以上の係止部（２０）を設けることで中空領域（１１）を形成し、係る構成とすることで前記中空領域（１１）の前面側の開放部（１２）と背面側の開放部（１３）を備え、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）。
【請求項４】
可とう性を有する略帯状の形状からなる１以上の長尺な帯体の前記構成シート（１０）によって全体が構成され、前記帯体の構成シート（１０）は重なり合う領域（１５）を有するように螺旋状に配置され、該重なり合う領域（１５）に複数の係止部（２０）を設けることで係る係止部（２０）間に中空領域（１１）を形成し、係る構成とすることで前記中空領域（１１）の前面側の開放部（１２）と背面側の開放部（１３）を備え、前記螺旋状に配置される前記帯体の構成シート（１０）の内側には第二の中空領域（１４）が形成され、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）。
【請求項５】
複数の前記構成シート（１０）の一方の端辺と他方の端辺を係止することで第二の中空領域（１４）を設けたことを特徴とする請求項３から請求項４のいずれかに記載の多目的収納ユニット（１）。
【請求項６】
可とう性を有する略シート状の素材から成る１以上の構成シート（１０）によって全体が構成され、前記構成シート（１０）は、巻くことによるか、重複して係止することにより、一部重なり合う領域（１５）を有するように前記構成シート（１０）が重畳的に設けられ、
前記構成シート（１０）は、１以上の保持具（１０３）に設けられ
前記構成シート（１０）は１以上の係止部（２０）あるいは分割係止部（２１）あるいは保持具（１０３）との係止支持部（３１）を備えていることで、中空領域（１１）を形成し、係る構成とすることで前記中空領域（１１）の前面側の開放部（１２）と背面側の開放部（１３）を備え、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）。
【請求項７】
可とう性を有する略帯状の形状からなる１以上の長尺な帯体の前記構成シート（１０）によって全体が構成され、前記帯体の構成シート（１０）は重なり合う領域（１５）を有するように螺旋状に配置され、前記構成シート（１０）は１以上の係止部（２０）あるいは分割係止部（２１）あるいは保持具（１０３）との係止支持部（３１）を備えて１以上の保持具（１０３）に巻かれて設けられていることで、
中空領域（１１）を形成し、係る構成とすることで前記中空領域（１１）の前面側の開放部（１２）と背面側の開放部（１３）を備え、前記螺旋状に配置される前記帯体の構成シート（１０）の内側には第二の中空領域（１４）が形成され、前記前面側の開放部（１２）は収納物（Ｓ１・Ｓ２）を収納するための収納口となり、前記背面側の開放部（１３）は前記重なり合う領域（１５）から下方へ前記収納物（Ｓ１・Ｓ２）を通過させることで長さの異なる前記収納物（Ｓ１・Ｓ２）でも収納できるように収納領域と収納位置を自由に調整することが可能であることを特徴とする多目的収納ユニット（１）。
【請求項８】
前記構成シート（１０）が、３以上であることを特徴とする請求項３から請求項７のいずれかに記載の多目的収納ユニット（１）。
【請求項９】
前記構成シート（１０）が、斜めに交互に構成されていることを特徴とする請求項３から請求項８のいずれかに記載の多目的収納ユニット（１）。
【請求項１０】
前記係止部（２０）あるいは分割係止部（２１）あるいは係止支持部（３１）が、
着脱可能に係止することにより、前記中空領域（１１）あるいは第二の中空領域（１４）を設けることを特徴とする請求項３から請求項９のいずれかに記載の多目的収納ユニット（１）。
【請求項１１】
前記一部が重なり合う領域（１５）を有するように重畳的に設けられた前記構成シート（１０）の重畳方向が、１か所以上で切り替わることを特徴とする請求項３から請求項１０のいずれかに記載の多目的収納ユニット（１）。
【請求項１２】
前記多目的収納ユニットを構成する前記構成シート（１０）が、２重以上で構成されていることを特徴とする請求項３から請求項１１のいずれかに記載の多目的収納ユニット（１）。
【請求項１３】
前記構成シート（１０）から構成される多目的収納ユニット（１）の背面の形状を覆う基台シート（３０）を備えたことを特徴とする請求項３から請求項１２のいずれかに記載の多目的収納ユニット（１）。
【請求項１４】
前記構成シート（１０）の両端の間での前記重なり合う領域（１５）において、分割係止部（２１）を少なくとも１以上備えたことを特徴とする請求項３から請求項１３の何れかに記載の多目的収納ユニット（１）。
【請求項１５】
横方向に連続して配置される前記構成シート（１０）によって形成された全体を分割する前記分割係止部（２１）を備えたことを特徴とする請求項３から請求項１４の何れかに記載の多目的収納ユニット（１）。
【請求項１６】
前記重なり合う領域（１５）において、前記構成シート（１０）が穴またはスリットを設けていることを特徴とする請求項３から請求項１５の何れかに記載の多目的収納ユニット（１）。
【請求項１７】
前記構成シート（１０）が設けられている前記保持具（１０３）が支持材（１０２）である構成の内、前記支持材（１０２）が該支持材（１０２）を支える支持底部（１０１）を設けている構成において、前記構成シート（１０）が、前記支持底部（１０１）に係止されているか、前記支持底部（１０１）を覆っていることを特徴とする請求項６から請求項１６の何れかに記載の多目的収納ユニット（１）。
【請求項１８】
前記多目的収納ユニット（１）において、前記構成シート（１０）が、前記構成シート（１０）によって囲われた保持具（１０３）である芯材（３２）に設けられていることを特徴とする請求項３から請求項１７のいずれかに記載の多目的収納ユニット（１）。
【請求項１９】
前記保持具（１０３）に設けられている多目的収納ユニット（１）において、前記構成シート（１０）と保持具（１０３）が少なくとも１か所以上にて係止されていることを特徴とする請求項１５から請求項１８のいずれかに記載の多目的収納ユニット（１）。
【請求項２０】
前記保持具（１０３）または基台シート（３０）が、発泡材、軟質材、マグネット板、マグネットシート、自己吸着シート、コルク、高摩擦部材、多穴部材あるいは凹凸部材のいずれかであることを特徴とした請求項１３または請求項１５から請求項１９のいずれかに記載の多目的収納ユニット（１）。
【請求項２１】
前記保持具（１０３）または基台シート（３０）が、１以上の凸部、凹部、凹条部、凸条部、穴部（１２１）、あるいはスリット穴部（３３）を設けていることを特徴とした請求項１３または請求項１５から請求項１９のいずれかに記載の多目的収納ユニット（１）。
【請求項２２】
前記重なり合う構成シート（１０）が、一部、構成シート（１０）が無く、開口している窓開部（１４１）を設けていることを特徴とする請求項３から請求項２１のいずれかに記載の多目的収納ユニット（１）。
【請求項２３】
前記重なり合う構成シート（１０）の窓開部（１４１）が、構成シート（１０）の辺が曲線または折れ線であることによって設けられていることを特徴とする請求項２２に記載の多目的収納ユニット（１）。
【請求項２４】
前記構成シート（１０）の解放部に開口状態を形成する１以上の開口スペーサー（１３１）を設けていることを特徴とする請求項３から請求項２３のいずれかに記載の多目的収納ユニット（１）。
【請求項２５】
前記構成シート（１０）が、１以上の凸部あるいは凹部あるいは凸条部あるいは凹条部を設けていることを特徴とする請求項３から請求項２４のいずれかに記載の多目的収納ユニット（１）。
【請求項２６】
前記構成シート（１０）の１以上の凸条部が、前記構成シート（１０）の辺に対して開口部のある囲い形状に設けてあることを特徴とする請求項３から請求項２５のいずれかに記載の多目的収納ユニット（１）。
【請求項２７】
前記窓開部（１４１）が、１以上の穴あるいはスリットであることを特徴とする請求項２２に記載の多目的収納ユニット（１）。
【請求項２８】
前記構成シート（１０）が、マグネットシートであることを特徴とする請求項３から請求項２７のいずれかに記載の多目的収納ユニット（１）。
【請求項２９】
前記構成シート（１０）が、張り剥がしが自在なシート、あるいは、自己吸着シートであることを特徴とする請求項３から請求項２７のいずれかに記載の多目的収納ユニット（１）。
【請求項３０】
前記構成シート（１０）の一部または全部が、ＥＬ（エレクトロルミネッセンス）であることを特徴とする請求項３から請求項２９のいずれかに記載の多目的収納ユニット（１）。
【請求項３１】
最下段１６に配置される前記構成シート（１０）、若しくは前記分割係止部（２１）に水抜きのための係止しない部分を設けたことを特徴とする請求項３から請求項３０の何れかに記載の多目的収納ユニット（１）。
【請求項３２】
前記収納物（Ｓ２）が植物であって、前記前面側の開放部（１２）から前記中空領域（１１）を通過して背面側の開放部（１３）から前記第二の中空領域（１４）へと前記植物の根を挿入し、前記第二の中空領域（１４）に充填した植物培養基材内において前記植物が前記根を広げることを可能としたことを特徴とする請求項３から請求項３１のいずれかに記載の多目的収納ユニット（１）。 
【手続補正２】
【補正対象書類名】明細書
【補正対象項目名】００２４
【補正方法】変更
【補正の内容】
【００２４】
また、本発明は、前記保持具１０３に設けられている多目的収納ユニット１において、前記構成シート１０と保持具１０３が少なくとも１か所以上にて係止されている構成を採用することもできる。